(57)【要約】【課題】ブスバーの検電及び短絡接地器具の取付けを容易に行って、停電作業による停電時間の短縮を図ることができる閉鎖型配電盤を提供する。【構成】開閉扉１１ａ，１１ｂに対向して配置された引出し形電気機器２２ａ，２２ｂを収納する電気機器収納室１５と、この電気機器収納室の開閉扉とは反対側に連接された主母線を収納する主母線収納部１７を含むケーブル室１８と、開閉扉以外の面を閉鎖する筐体１２と、この筐体の主母線収納部に対向する側面に形成された作業用窓４１及びこの作業用窓を閉塞する開閉蓋４２とを備えている。【選択図】図３
2019134541.tif 000002
【特許請求の範囲】
【請求項１】
開閉扉に対向して配置された引出し形電気機器を収納する電気機器収納室と、
該電気機器収納室の前記開閉扉とは反対側に連接された主母線を収納する主母線収納部を含むケーブル室と、
前記開閉扉以外の面を閉鎖する筐体と、
該筐体の前記主母線収納部に対向する側面に形成された作業用窓及び該作業用窓を閉塞する開閉蓋と
を備えたことを特徴とする閉鎖型配電盤。
【請求項２】
前記開閉蓋は、ヒンジを介して筐体の前記作業用窓を形成する側壁に取り付けられていることを特徴とする請求項１に記載の閉鎖型配電盤。
【請求項３】
前記開閉蓋は施錠可能に構成されている請求項１又は２に記載の閉鎖型配電盤。
【請求項４】
前記開閉蓋の一部には、内部を視認可能で且つ自己消火性の樹脂材が配置されていることを特徴とする請求項１から３の何れか一項に記載の閉鎖型配電盤。
【発明の詳細な説明】
【技術分野】
【０００１】
本発明は母線に対して進退自在な電気機器を収納した閉鎖型配電盤に関する。
【背景技術】
【０００２】
特別高圧や高圧の閉鎖型配電盤では、一面を除く他の全ての面を閉鎖した筐体内に引出し形電気機器を収納し、この引出し形電気機器の主回路端子を母線に接続することにより、電源側と負荷側との間の電力を遮断可能としている。
このような閉鎖形配電盤では、点検作業を行う場合に、感電防止の点から該当盤または該当列盤の停電作業が必要となる。この停電作業手順は、先ず、（１）高圧盤遮断器の開放／引出し、（２）制御電源「切」、（３）投入電源「切」、（４）検電し、短絡接地器具の取付けを行うようにしている。
これらの作業を簡便にする目的で、例えば特許文献１に記載された先行技術では、高圧電源側の渡り配線に隔壁を設け、この隔壁に開口窓を設けて作業性の改善を図っている。
【先行技術文献】
【特許文献】
【０００３】
【特許文献１】特開平６−２５３４２４号公報
【発明の概要】
【発明が解決しようとする課題】
【０００４】
ところで、高圧の閉鎖形配電盤では、高圧盤列盤全て、または高圧盤単体において前述した（１）〜（４）の手順で停電作業を行う。このうち、（１）の高圧盤遮断器の開放／引出しについては閉鎖形配電盤の正面扉の開放、専用の治具で遮断器を引き出す構造となっており、容易に作業可能である。（２）の制御電源「切」及び（３）の投入電源「切」についても閉鎖形配電盤の正面のスイッチ操作により容易に作業可能である。
しかしながら、（４）の検電してから短絡接地器具をブスバー（ｂｕｓ  ｂａｒ）に取付る作業については、ブスバーは閉鎖形配電盤内の隔壁で隔離された位置にあり、充電部露出（感電のリスク）の点から容易に開放できる構造となっていない。そのため、検電及び短絡接地器具の取付けも容易にはできない。
【０００５】
従来は、ブスバーの検電、短絡接地器具の取付けのためには、閉鎖形配電盤の裏面を開放し、ブスバーの間に作業員が体を入れ、ボルトを外し、閉鎖形配電盤内の隔壁を取り外す必要があった。しかし、一般的に高圧の閉鎖形配電盤内は、幅が８００ｍｍ程度と狭く、また、作業員が内部に入れる構造となっていないため、作業性が悪く、停電作業に時間が掛かっていた（１時間態度）。また、高圧の閉鎖形版電盤の多くは裏面側に２次側主ケーブルが配線されており、さらに作業性が悪く、隔壁の取り外しに更に時間が係るケースがある（２時間程）。この作業が停電作業時、及び停電解除時にそれぞれ発生するため、操業制約（減産）のかかる停電のうち、計４時間程度はこの作業が占めており、減産につながっているという課題がある。
【０００６】
このような課題に対して、例えば、特許文献１に記載された先行技術では、高圧電源側の渡り配線に隔壁を設け、この隔壁に開口窓を設けて作業性の改善を図っているが、閉鎖形配電盤内に隔壁等の部材を追加することにより作業空間が狭くなることや、開閉窓に設けた蓋の脱着を簡便にすると関係外者の誤開閉による感電事故の原因となり得ることといった作業性を害する課題がある。
そこで、本発明は、上記先行技術の課題に着目してなされたものであり、ブスバーの検電及び短絡接地器具の取付けを容易に行って、停電作業による停電時間の短縮を図ることができる閉鎖型配電盤を提供することを目的としている。
【課題を解決するための手段】
【０００７】
上記課題を解決するために、本発明に係る閉鎖型配電盤の一態様は、開閉扉に対向して配置された引出し形電気機器を収納する電気機器収納室と、この電気機器収納室の開閉扉とは反対側に連接された主母線を収納する主母線収納部を含むケーブル室と、開閉扉以外の面を閉鎖する筐体と、この筐体の主母線収納部に対向する側面に形成された作業用窓及びこの作業用窓を閉塞する開閉蓋とを備えている。
【発明の効果】
【０００８】
本発明の一態様によれば、主母線収納部に対向して作業用窓及びこの作業用窓を閉塞する閉塞蓋を備えているので、停電作業時に開閉蓋を開けることにより、直接主母線に対する検電作業や短絡接地器具の取付けを行うことができ、作業時間を短縮して減産時間の低減を図ることができる。
【図面の簡単な説明】
【０００９】
【図１】本発明に係る閉鎖型配電盤の正面図である。
【図２】図１の右側面図である。
【図３】閉鎖型配電盤の内部構造を示す図１のIII−III線上の断面図である。
【図４】閉鎖型配電盤の内部構造を示す図２のIV−IV線上の断面図である。
【発明を実施するための形態】
【００１０】
以下、本発明に係る閉鎖型配電盤の実施形態について図面を伴って説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【００１１】
本発明に係る高圧又は特別高圧の閉鎖型配電盤１０は、図１に示すように、正面に上下２段のインターロック付きの開閉扉１１ａ及び１１ｂを有し、背面にも上下２段のインターロック付きの開閉扉１１ｃ及び１１ｄを有する筐体１２を備えている。開閉扉１１ａ及び１１ｂには、制御電源及び投入電源の「切」及び「入」を行う操作スイッチ１３ａ及び１３ｂが配置されている。また、筐体１２には、上面に開閉可能な３つの放圧口１４が形成されている。
筐体１２の内部には、正面側に電気機器収納室１５が形成され、この電気機器収納室１５の背面側に隔壁１６を介して主母線収納部１７を含むケーブル室１８が形成されている。
【００１２】
電気機器収納室１５は、開閉扉１１ａ及び１１ｂと対向して上下２段にクレードル２１ａ及び２１ｂが形成され、これらクレードル２１ａ及び２１ｂ内にそれぞれ引出し形電気機器としての引出し形遮断器２２ａ及び２２ｂが正面側から出し入れ可能に収納されている。
隔壁１６には、引出し形遮断器２２ａ及び２２ｂをクレードル２１ａ及び２１ｂ内に配置したときに電気的に接続される電源側主回路端子２３ａ，２３ｂ及び負荷側主回路端子２４ａ，２４ｂが上下２段に貫通して配置されている。これら電源側主回路端子２３ａ，２３ｂ及び負荷側主回路端子２４ａ，２４ｂは、三相分の３個が左右方向に並列に配置されている。
【００１３】
そして、上段側の電源側主回路端子２３ａと、下段側の電源側主回路端子２３ｂとがブスバーで構成される電源側分岐導体２５で接続され、この電源側分岐導体２５がブスバーで構成される主母線２６Ｒ、２６Ｓ及び２６Ｔに個別に接続されている。主母線２６Ｒ、２６Ｓ及び２６Ｔは、上下方向に所定間隔を保って左右方向に延長する３本の支柱２７Ｒ、２７Ｓ及び２７Ｔに碍子２８を介して個別に支持されている。
これら電源側主回路端子２３ａ，２３ｂ、電源側分岐導体２５及び主母線２６ｒ〜２６ｔが仕切板２９で囲まれて主母線収納部１７が形成されている。この仕切板２９は、上面板部２９ａと、背面板部２９ｂと下面板部２９ｃとでコ字状に形成されている。上面板部２９ａ及び下面板部２８ｃの前端は隔壁１６に固定され、上面板部２９ａ、背面板部２９ｂ及び下面板部２９ｃの左右端部は、筐体１２の左右の側面板１２ａ及び１２ｂに固定されている。
【００１４】
ケーブル室１８には、負荷側主回路端子２４ａにブスバーで構成される負荷側分岐導体３１ａを介して接続された計器用変流器３２ａが配置され、この計器用変流器３２ａの出力側が筐体１２の上面板部１２ｃに碍子を介して支持されたケーブル端子３３ａに接続されている。
同様に、負荷側主回路端子２４ｂにブスバーで構成される負荷側分岐導体３１ｂを介して接続された計器用変流器３２ｂが配置され、この計器用変流器３２ｂの出力側が筐体１２の中間板部１２ｄに碍子を介して支持されたケーブル端子３３ｂに接続されている。
【００１５】
ケーブル端子３３ａ及び３３ｂは、図４に示すように、それぞれ三相分の端子Ｒ、Ｓ及びＴを有し、下段のケーブル端子３３ｂの端子Ｒ、Ｓ、Ｔに三相の負荷ケーブル３４Ｒ、３４Ｓ及び３４Ｔが接続され、これら負荷ケーブル３４Ｒ、３４Ｓ及び３４Ｔの他端がケーブルヘッド３５に接続され、さらに零相変流器３６を介して外部に引き出されている。
一方、筐体１２の右側面板１２ｂには、主母線収納部１７に収納されている主母線２６Ｒ、２６Ｓ及び２６Ｔに対向する仕切板２９内の位置に作業用窓４１が開口されている。この作業用窓４１を形成する側壁には、対爆性を有する重い開閉蓋４２がヒンジ４３によって開閉可能に取り付けられている。この開閉蓋４２には、関係外者の不慮の事故を回避する目的で施錠機構４４を設けることが好ましい。
【００１６】
また、開閉蓋４２には、中央位置に主母線２６Ｒ、２６Ｓ及び２６Ｔを視認可能な透光性樹脂材４５が配置されている。
この透光性樹脂材４５は、破壊強度を有し、外部から内部を視認可能で且つ自己消火性の合成樹脂材を適用して方形板状に形成されている。合成樹脂材としては、本発明者等が衝撃による破壊飛散と燃焼消失を避ける材質を検討した結果、重量当たりの対衝撃性に優れ、自己延焼性の無いポリカーボネート樹脂を適用している。
【００１７】
次に、上記実施形態の動作について説明する。
閉鎖型配電盤１０の通常使用時では、主母線２６Ｒ、２６Ｓ及び２６Ｔから入力される三相交流電力が、引出し形遮断器２２ａ及び２２ｂを通じて負荷ケーブル３４Ｒ、３４Ｓ及び３４Ｔに出力される。この通常状態で、筐体１２の右側面板１２ｂに設けた開閉蓋４２の透光性樹脂材４５を通じて内部を視認することができる。このため、結線の緩みや、主母線２６Ｒ〜２６Ｔのトラッキング等の異常の兆候を監視することができる。
この通常使用状態から閉鎖型配電盤１０内で作業を行う場合には、感電防止の点から停電作業を行う。この停電作業では、先ず、開閉扉１１ａ及び１１ｂの操作スイッチ１３ａ及び１３ｂを操作してから開閉扉１１ａ及び１１ｂを開放し、専用治具を使用して引出し形遮断器２２ａ及び２２ｂを引出し、隔壁１６に配置された電源側主回路端子２３ａ，２３ｂ及び負荷側主回路端子２４ａ，２４ｂの間を切り離す。
【００１８】
次いで、操作スイッチ１３ａ及び１３ｂを操作して、制御電源を「切」に切り替え、次いで投入電源を「切」に切り替える。
次いで、筐体１２の右側面に回って、開閉蓋４２を解錠してから、開閉蓋４２を開く。これにより、開閉蓋４２から仕切板２９によって囲まれた主母線収納部１７内の上下方向に所定間隔を保って配置された主母線２６Ｒ〜２６Ｔ及び電源側分岐導体２５と直接接触することが可能となる。このため、各主母線２６Ｒ〜２６Ｔ又は電源側分岐導体２５に対して検電を行うことができる。検電が終了した後に、主母線２６Ｒ〜２６Ｔ又は電源側分岐導体２５に短絡接地器具を取り付けることができる。
【００１９】
その後、停電解除作業を行う場合には、停電作業とは逆の手順で、主母線２６Ｒ〜２６Ｔ又は電源側分岐導体２５から短絡接地器具を取り外し、開閉蓋４２を閉めて作業用窓４１を閉塞してから施錠する。
次いで、操作スイッチ１３ａ及び１３ｂを操作して、投入電源を「入」、制御電源を「入」に切り替えてから引出し形遮断器２２ａ及び２２ｂをクレードル２１ａ及び２１ｂ内に押し込んで電源側主回路端子２３ａ，２３ｂ及び負荷側主回路端子２４ａ，２４ｂに電気的に接続する。
そして、開閉扉１１ａ及び１１ｂを閉じて施錠する。
【００２０】
このように、上記実施形態によると、停電作業及び停電解除作業で時間が掛かる主母線収納部１７内の作業が、開閉蓋４２を開くだけで、主母線２６Ｒ〜２６Ｔ及び電源側分岐導体２５を露出させることができ、作業時間を大幅に短縮することができる。すなわち、従来技術では、作業員の立ち入る作業性が悪く、主母線収納部に到達するまでの時間に１時間程度掛かり、主母線収納部を囲む隔壁を取り外す場合には２時間程度掛かるが、本実施形態では、開閉蓋４２を開くだけでよく、開閉に要する時間は各々１５分程度であり、計３０分程度する済むことになり、４時間程度の作業を０．５時間程度で終了することができる。したがって、停電時間（減産時間）の低減に大きな効果を発揮することができる。
【００２１】
また、ヒンジ４３を使用して開閉蓋４２を開閉することにより、対爆性のために重い開閉蓋４２でも円滑な開閉が可能で、開閉蓋４２のサイズ程度の接地スペースしか要しないので、あらゆる閉鎖型配電盤に適用することができる。
ちなみに、開閉蓋４２をねじ止めによって取り外し可能となることが考えられるが、ねじ止めやねじの取り外しにネジ回し等の工具を使用して開閉することになり、工具を閉鎖型配電盤内に落下させる事案が想定され、これは閉鎖型配電盤内の配線の短絡や感電の原因にもなり得るという問題がある。そこで、脱着部品や工具を用いない開閉機構が望まれる。
【００２２】
このため、開閉蓋４２にサッシュを設けてスライド式とすることも考えられるが、開閉蓋４２自体の対爆性を確保しつつ落下しない構造とすると円滑な開閉が損なわれたり、閉鎖型配電盤の形状によっては開蓋のスライドのためのスペースを確保できなかったりして適用可能閉鎖型配電盤が限られるという問題がある。
本発明のように、ヒンジ４３を使用した開閉蓋４２とすることにより、上記問題点を全て解決することができる。
また、開閉蓋４２に施錠機構４４を設けることにより、関係外者などによる不慮の事故を回避することができる。
【００２３】
さらに、開閉蓋４２に内部を視認可能な透光性樹脂材４５を配置することにより、開閉蓋４２を開くことなく内部を視認することができ、結線の緩みや主母線及び電源側分岐導体のトラッキングなどの異常の兆候を監視することができる。しかも、透光性樹脂材４５として対爆性を有し、視認可能で、且つ自己消火性の樹脂材を適用することにより、安全に内部監視を行うことができる。
ちなみに、透光性部材として強化ガラスを使用した場合には、衝撃により破壊し飛散することになり好ましくない。また、網入りガラスは衝撃により飛散はしないが破断するため透光性が損なわれるうえ切創の原因となり得る。また、アクリルを使用した場合には、高温で着火し且つ自己延焼するので好ましくない。また、自己消火性の樹脂材としてはポリカーボネート、フェノール樹脂、ポリ塩化ビニルが適用可能であるが、中でもポリカーボネートが透明度と耐衝撃性に優れるので好ましい。
【００２４】
また、本実施形態では、主母線収納部１７に上下方向に所定間隔を開けて主母線２６Ｒ〜２６Ｔを配置したので、作業用窓４１及び開閉蓋４２も縦長とすることができ、ヒンジ４３に掛かる荷重を少なくして開閉を容易に行うことができる。
なお、上記実施形態においては、開閉蓋４２に施錠機構４４を設けた場合について説明したが、これに限定されるものではなく、関係外者が立ち入らない場所に閉鎖型配電盤１０が設置されている場合には、施錠機構４４を省略することができる。
また、上記実施形態では、開閉蓋４２をヒンジ４３によって開閉する場合について説明したが、これに限定されるものではなく、大型で側面寸法に余裕のある閉鎖型配電盤では開閉蓋４２をサッシュに嵌め込んでサッシュから外せないような構造としたスライド形式の開閉蓋とすることもできる。
【００２５】
さらに、上記実施形態においては、開閉蓋４２に透光性樹脂材４５を配置した場合について説明したが、これに限定されるものではなく、透光性樹脂材４５を省略するようにしてもよい。
また、上記実施形態においては、主母線２６Ｒ〜２６Ｔを上下方向に並列に配置した場合について説明したが、これに限定されるものではなく、主母線を前後方向に並列に配置することもできる。この場合には、開閉蓋４２を主母線の配置に合わせて横長に形成すればよい。
【符号の説明】
【００２６】
１０…閉鎖型配電盤、１１ａ，１１ｂ、１１ｃ，１１ｄ…開閉扉、１２…筐体、１３ａ，１３ｂ…操作スイッチ、１５…電気機器収納室、１６…隔壁、１７…主母線収納部、１８…ケーブル室、２１ａ，２１ｂ…クレードル、２２ａ，２２ｂ…引出し形遮断器、２３ａ，２３ｂ…電源側主回路端子、２４ａ，２４ｂ…負荷側主回路端子、２５…電源側分岐導体、２６Ｒ〜２６Ｔ…主母線、３１ａ，３１ｂ…負荷側分岐導体、３２ａ，３２ｂ…計器用変流器、３４Ｒ〜３４Ｔ…負荷ケーブル、３５…ケーブルヘッド、３６…零相変流器、４１…作業用窓、４２…開閉蓋、４３…ヒンジ、４４…施錠機構、４５…透光性樹脂材
【図１】
2019134541.tif 000003
【図２】
2019134541.tif 000004
【図３】
2019134541.tif 000005
【図４】
2019134541.tif 000006